(57)【要約】      （修正有）【課題】裁断時に裁断刃が横滑りを起こしてシートが位置ズレを起こすのを防止する。【解決手段】ロール状シート原反の裁断装置１は、ロール状に巻かれたシート原反２を送り出すシート送出手段３と、シート送出手段３によって送り出されてきたシート原反２を伸ばして支持するシート支持テーブル４と、シート送出手段３により送り出されたシート原反２の先端部の位置決めを行うシート位置決め手段５と、シート位置決め手段５により先端部を位置決めされたシート原反２を一定の長さに裁断するシート裁断手段６と、を備えている。シート裁断手段６は、裁断刃７と、裁断刃を取付けた裁断刃支持アーム８と、裁断刃支持アーム８を介して裁断刃７をシート原反２を裁断する裁断位置と待機位置との間で移動させる駆動機構９と、を備えている。裁断刃７は、裁断刃支持アーム８に第１のバネ１１によって裁断刃支持アーム８の移動方向に逃げ移動可能に取付けられている。【選択図】図１
2008073802.tif 000002
【特許請求の範囲】
【請求項１】
ロール状に巻かれたシート原反を送り出すシート送出手段と、該シート送出手段によって送り出されてきたシート原反を直線状に伸ばして支持するシート支持テーブルと、前記シート送出手段により前記シート支持テーブル上に送り出されてきたシート原反の先端部の位置決めを行うシート位置決め手段と、該シート位置決め手段により先端部を位置決めされたシート原反を所定の長さに裁断するシート裁断手段と、を備え、
前記シート裁断手段は、裁断刃と、該裁断刃を取付けた裁断刃支持アームと、該裁断刃支持アームを介して前記裁断刃を前記シート支持テーブル上のシートを裁断する裁断位置と待機位置との間で移動させる駆動機構と、を備え、
前記裁断刃は、前記裁断刃支持アームに第１のバネによって前記裁断刃支持アームの移動方向に逃げ移動可能に取付けられていて、前記シート原反の裁断後に前記裁断刃の先端が前記シート支持テーブルに設けた刃受部に当たって押されたときに前記裁断刃支持アームに対して前記第１のバネの付勢力に抗して逃げ方向に移動することを特徴とするロール状シート原反の裁断装置。
【請求項２】
前記裁断刃支持アームは、前記裁断刃によって前記シート原反を裁断する際に前記裁断刃を挟んでシート送り方向の上流側と下流側を押さえるシート押さえ部材を備えていることを特徴とする請求項１に記載のロール状シート原反の裁断装置。
【請求項３】
前記シート押さえ部材は、前記裁断刃支持アームに第２のバネによって前記裁断刃支持アームの移動方向に逃げ移動可能に取付けられていて、前記シート原反を前記シート支持テーブルに押し付けた後に前記第２のバネの付勢力に抗して逃げ方向に移動することを特徴とする請求項２に記載のロール状シート原反の裁断装置。
【請求項４】
前記シート支持テーブルは、前記刃受部の近傍の分割部においてシート送り方向の上流側に位置する第１のテーブル部と、シート送り方向の下流側に位置する第２のテーブル部と、に分割されていて、前記第２のテーブル部は、シート送り方向の下流側の端部が軸部によって回動可能に枢支されていて、前記シートを裁断した後に前記第２のテーブル部を前記軸部を中心にして所定の傾斜角度に傾斜可能になっていることを特徴とする請求項３に記載のロール状シート原反の裁断装置。
【請求項５】
前記第２のテーブル部は、所定の傾斜角度に傾斜させた状態において前記第２のテーブル部上に載置されているシート原反の下面にエアーを吹き付けて前記第２のテーブル部上から落下させるエアー吹付機構を備えていることを特徴とする請求項４に記載のロール状シート原反の裁断装置。
【請求項６】
前記第１のテーブル部の下部に、前記所定の傾斜角度に傾斜させた前記第２のテーブル部から滑り落ちてきた一定の長さに裁断されたシート原反を積み重ねて収容するキャスター付きの容器を配置したことを特徴とする請求項５に記載のロール状シート原反の裁断装置。
【発明の詳細な説明】
【技術分野】
【０００１】
本発明は、ロール状に巻かれたシート原反を一定量づつ送り出して一定の長さに裁断ずるロール状シート原反の裁断装置、特に、積層型電気二重層キャパシタに使用するセパレータや分極基板等を、ロール状に巻かれたシート原反から裁断して形成するのに使用して好適なロール状シート原反の裁断装置に関するものである。
【背景技術】
【０００２】
積層型電気二重層キャパシタとして、図５に示すものが知られている。前記積層型電気二重層キャパシタ１０１は、電解液を含浸させた一対の活性炭電極１０２，１０３の間にセパレータ１０４を挟んで成る複数のセル１０５…１０５を分極板１０６を介して積層し、これらセル１０５，１０５の間にセル間パッキン１０７を介在させて上，下部を集電極板１０８及びエンドプレート１０９で挟んで締付ボルト１１０で締め付けてセル積層体１１１を構成することにより構成されている。（例えば特許文献１）。
【０００３】
積層型電気二重層キャパシタは、ロススペースが少なくコンパクトな形状に形成でき、蓄電エネルギーの高密度化が期待できる。特に、積層型電気二重層キャパシタは、使用する電圧の上限を上げるために積層数を増加させる傾向にある。従って、使用するセパレータ１０４や分極板１０６の枚数も多くなり、これらセパレータ１０４や分極板１０６を効率的に製造することが要求される。前記セパレータ１０４や分極板１０６は、長尺に形成されロール状に巻かれたシート状原反を一定の長さに裁断することにより形成されている。
【０００４】
ところで、ロール状に巻かれたシート原反を裁断する装置として、例えば、図６に示すものが知られている。この装置２０１は、包装箱製造装置であって、ロール状に巻回した材料紙２０２を印刷機構２０３、裁断機構２０４に向けて送り出して供給する供給機構２０５と、裁断機構２０４に近接して設置され該裁断機構２０４に送り込まれた材料紙２０２を定位置に一時停止させる基準となる位置決めガイド２０６とを備えている。前記供給機構２０５は、ロール軸に供給モータを連結することにより構成されていて、材料紙２０２をロール軸に巻回してロール軸の回転により材料紙２０２を連続的に送出し供給する。（例えば特許文献２）。
【０００５】
図６に示す装置２０１は、包装箱製造装置であって、これを積層型電気二重層キャパシタに使用するセパレータや分極板を裁断する装置としてそのまま適用することはできない。
【０００６】
セパレータや分極板を形成するためのロール状シート原反の裁断装置として、特許出願は為されていないが、図７に示すものが知られている。このロール状シート原反の裁断装置３０１は、ロール状に巻かれたシート原反３０２を送り出すシート送出手段３０３と、該シート送出手段３０３によって送り出されてきたシート原反３０２を直線状に伸ばして支持するシート支持テーブル３０４と、前記シート送出手段３０３により前記シート支持テーブル３０４上に送り出されてきたシート原反３０２の先端部３０２ａの位置決めを行うシート位置決め手段３０５と、該シート位置決め手段３０５により先端部を位置決めされたシート原反３０２を所定の長さに裁断するシート裁断手段３０６と、を備えている。前記シート裁断手段３０６は、裁断刃３０７と、該裁断刃３０７を取付けた裁断刃支持アーム３０８と、該裁断刃支持アーム３０８を介して前記裁断刃３０７を前記シート支持テーブル３０４上のシート原反３０２を裁断する裁断位置と該裁断位置から上昇した待機位置との間で移動させる駆動機構３０９と、を備えている。前記駆動機構３０９は、昇降ガイド支柱３１０に沿って前記裁断刃支持アーム３０８を図示省略のラックＡＮＤピニオンや油圧シリンダ等により昇降させるようになっている。そして、前記シート送出手段３０３により前記シート支持テーブル３０４上に送り出されてきたシート原反３０２の先端部３０２ａを前記シート位置決め手段３０５で位置決めした後に、前記裁断刃３０７で一定の長さに裁断するようになっている。
【特許文献１】特開２００３−２１７９８８号公報（段落０００２、段落０００４、段落０００６等）
【特許文献２】特開２００２−８６５９６号公報（段落０００７、段落０００８、段落００１６等）
【発明の開示】
【発明が解決しようとする課題】
【０００７】
ところで、図７に示す従来のロール状シート原反の裁断装置３０１には、次に述べるような課題があった。
（１）シート原反３０２を裁断した後に前記裁断刃３０７の刃先３０７ａが当たる部分が磨耗して、図８に示すようにシート支持テーブル３０４に溝３１１が穿たれ、該溝３１１によって裁断刃３０７の所謂切れが悪くなったり、裁断位置にズレが発生したりする。
（２）前記溝３１１の発生を防止するために、図９に示すように、前記シート支持テーブル３０４の前記裁断刃３０７の刃先３０７ａが当たる部分に、硬質ガラス等の刃受部３１２を設けた裁断装置３２１も開発されているが、硬質ガラス等の刃受部３１２を設けると、裁断時に裁断刃３０７が横滑りを起こし、シート原反３０２が位置ズレを起こして裁断ラインが曲線状になってしまうことがある。
（３）前記裁断刃３０７により一定の長さに裁断したシート原反（製品）を前記シート支持テーブル３０４上から取り出す作業が面倒である。
【０００８】
本発明の目的は、シート支持テーブルに裁断刃の刃先によって溝が穿たれるのを抑制すると共に、裁断刃の刃先を保護することのできるロール状シート原反の裁断装置を提供することにある。
【０００９】
また、本発明の他の目的は、裁断時に裁断刃が横滑りを起こしてシート原反が位置ズレを起こすのを防止することのできるロール状シート原反の裁断装置を提供することにある。
【００１０】
さらに、本発明の他の目的は、一定の長さに裁断したシート原反をシート支持テーブルから容易に取り出すことのできるロール状シート原反の裁断装置を提供することにある。
【課題を解決するための手段】
【００１１】
請求項１の発明は、ロール状に巻かれたシート原反を送り出すシート送出手段と、該シート送出手段によって送り出されてきたシート原反を直線状に伸ばして支持するシート支持テーブルと、前記シート送出手段により前記シート支持テーブル上に送り出されてきたシート原反の先端部の位置決めを行うシート位置決め手段と、該シート位置決め手段により先端部を位置決めされたシート原反を所定の長さに裁断するシート裁断手段と、を備え、前記シート裁断手段は、裁断刃と、該裁断刃を取付けた裁断刃支持アームと、該裁断刃支持アームを介して前記裁断刃を前記シート支持テーブル上のシート原反を裁断する裁断位置と待機位置との間で移動させる駆動機構と、を備えたロール状シート原反の裁断装置において、
前記裁断刃を、前記裁断刃支持アームに第１のバネによって前記裁断刃支持アームの移動方向に逃げ移動可能に取付けて、前記シートの裁断後に前記裁断刃の先端が前記シート支持テーブルに設けた刃受部に当たって押されたときに前記裁断刃支持アームに対して前記第１のバネの付勢力に抗して逃げ方向に移動可能にした。
【００１２】
請求項２の発明は、請求項１のロール状シート原反の裁断装置において、前記裁断刃支持アームに、前記裁断刃によって前記シート原反を裁断する際に前記裁断刃を挟んでシート送り方向の上流側と下流側を押さえるシート押さえ部材を設けた。
【００１３】
請求項３の発明は、請求項２のロール状シート原反の裁断装置において、前記シート押さえ部材を、前記裁断刃支持アームに第２のバネによって前記裁断刃支持アームの移動方向に逃げ移動可能に取付けて、前記シート原反を前記シート支持テーブルに押し付けた後に前記第２のバネの付勢力に抗して逃げ方向に移動する構成にした。
【００１４】
請求項４の発明は、請求項３のロール状シート原反の裁断装置において、前記シート支持テーブルを、前記刃受部の近傍の分割部においてシート送り方向の上流側に位置する第１のテーブル部と、シート送り方向の下流側に位置する第２のテーブル部と、に分割すると共に、前記第２のテーブル部のシート送り方向の下流側の端部を、軸部によって回動可能に枢支して、前記シート原反を裁断した後に前記第２のテーブル部を前記軸部を中心にして所定の下り勾配の傾斜角度に傾斜可能にした。
【００１５】
請求項５の発明は、請求項４のロール状シート原反の裁断装置において、前記第２のテーブル部に、該第２のテーブル部を所定の傾斜角度に傾斜させた状態において前記第２のテーブル部上に載置されている裁断されたシート原反の下面にエアーを吹き付けて前記第２のテーブル部上から落下させるエアー吹付機構を設けた。
【００１６】
請求項６の発明は、請求項５のロール状シート原反の裁断装置において、前記第１のテーブル部の下部に、前記所定の傾斜角度に傾斜させた前記第２のテーブル部から滑り落ちてきた裁断されたシート原反を積み重ねて収容するキャスター付きの容器を配置した。
【発明の効果】
【００１７】
（１）請求項１のロール状シート原反の裁断装置は、シート原反裁断後に裁断刃の先端がシート支持テーブルに設けた刃受部に当たって押されたときに前記第１のバネの付勢力に抗して逃げ方向に移動して裁断刃の先端の衝撃を弱めて裁断刃を保護すると共に、該裁断刃によってシート支持テーブルに溝ができるのを抑制する。
（２）請求項２のロール状シート原反の裁断装置は、シート裁断時にシート送り方向の上流側と下流側を押さえるシート押さえ部材で押さえてシート原反が位置ズレを起こさないようにした状態でシート原反の裁断を行うことができる。
（３）請求項３のロール状シート原反の裁断装置は、シート押さえ部材でシート原反を押さえると該シート押さえ部材は、第２のバネの付勢力に抗して逃げ移動して、次に裁断刃の先端がシートに当たって該シートを裁断する。
（４）請求項４のロール状シート原反の裁断装置は、シートを一定の長さに裁断した後に、前記第２のテーブル部を前記軸部を中心に回動させて、該第２のテーブル部を下り勾配にすれば、一定の長さに裁断されたシート原反は、前記第２のテーブル部上を滑り落ちて前記第１のテーブル部の下部に取り出される。
（５）請求項５のロール状シート原反の裁断装置は、前記第２のテーブル部を所定の傾斜角度に傾斜させた状態において前記エアー吹付機構により第２のテーブル部上に載置されているシート原反の下面にエアーを吹き付けて第２のテーブル部上から浮き上がらせて該第２のテーブル部との間の摩擦を減少させて、前記シート原反を前記第２のテーブル部上から円滑に滑落させることができる。
（６）請求項６のロール状シート原反の裁断装置は、前記第２のテーブル部から滑り落ちてきたシート原反は、前記第１のテーブル部の下部に配置されているキャスター付きのシート容器に収納される。
【発明を実施するための最良の形態】
【００１８】
図１は本発明のロール状シート原反の裁断装置の側面図、図２はシート支持テーブルの平面図、図３は図２のＡ−Ａ断面図、図４はシート支持テーブルを構成する第２のテーブル部を傾斜させた状態の側面図である。ロール状シート原反の裁断装置１は、積層型電気二重層キャパシタのセパレータを構成するためのロール状に巻かれたシート原反２を送り出すシート送出手段３と、該シート送出手段３によって送り出されてきたシート原反２を直線状に伸ばして支持するシート支持テーブル４と、前記シート送出手段３により前記シート支持テーブル４上に送り出されてきたシート原反２の先端部の位置決めを行うシート位置決め手段５と、該シート位置決め手段５により先端部を位置決めされたシート原反２を所定の長さに裁断するシート裁断手段６と、を備えている。
【００１９】
前記シート裁断手段６は、裁断刃７と、該裁断刃７を取付けた裁断刃支持アーム８と、該裁断刃支持アーム８を介して前記裁断刃７を前記シート支持テーブル４上のシート原反２を裁断する裁断位置と該裁断位置から待機位置に移動させる駆動機構９と、を備えている。前記駆動機構９は、昇降ガイド支柱１０に沿って前記裁断刃支持アーム８を図示省略のラックＡＮＤピニオンや油圧シリンダ等により昇降させるようになっている。
【００２０】
前記裁断刃７は、前記裁断刃支持アーム８に第１のバネ１１によって前記裁断刃支持アーム８の矢印Ａ−Ｂで示す移動方向のうちの矢印Ｂで示す逃げ方向に移動可能に前記裁断刃支持アーム８に取付けられている。そして、シート裁断後に前記裁断刃７の先端が前記シート支持テーブル４に設けた硬質ガラス等の刃受部１２に当たってその反力で押されたときに前記裁断刃支持アーム８に対して前記第１のバネ１１の付勢力に抗して逃げ方向に移動するようになっている。
【００２１】
前記裁断刃支持アーム８は、前記裁断刃７によって前記シート原反２を裁断する際に前記裁断刃７を挟んで前記シート原反２の送り方向（矢印Ｃ方向）の上流側と下流側を押さえる一対のシート押さえ部材１３，１４を備えている。
【００２２】
前記一対のシート押さえ部材１３，１４は、前記裁断刃支持アーム８に第２のバネ１５によって前記裁断刃７と同様に矢印Ｂ方向に逃げ移動可能に取付けられている。前記一対のシート押さえ部材１３，１４は、前記シート原反２を前記シート支持テーブル４に押し付けた後に前記第２のバネ１５の付勢力に抗して逃げ方向に移動するようになっている。
【００２３】
図１に示すように、待機位置において、前記一対のシート押さえ部材１３，１４の先端部１３ａ，１４ａは、前記裁断刃７の先端部７ａよりもシート支持テーブル４側に突出している。そして、前記裁断刃支持アーム８が裁断方向に移動すると、先ず、前記一対のシート押さえ部材１３，１４の先端部１３ａ，１４ａが前記シート原反２に接触して該シート原反２を押さえる。さらに、前記裁断刃支持アーム８が裁断方向に移動すると、前記一対のシート押さえ部材１３，１４は、シート原反２を押さえた侭の状態で逃げ移動して、前記裁断刃７の先端部７ａがシート原反２に接触して、該シート原反２を裁断する。シート原反２を裁断した後に、前記裁断刃７の先端部７ａは、前記硬質ガラス等の刃受部１２に当たる。前記裁断刃７が更に押されると前記第１のバネ１１の付勢力に抗して逃げ方向に移動する。
【００２４】
前記シート支持テーブル４は、前記刃受部１２の近傍の分割部２１においてシート送り方向（矢印Ｃ方向）の上流側に位置する第１のテーブル部２２と、シート送り方向の下流側に位置する第２のテーブル部２３と、に分割されている。前記刃受部１２は、第１のテーブル部２２側に配置されている。
【００２５】
前記第２のテーブル部２３は、シート送り方向の下流側の端部が軸部２４によって回動可能に枢支されている。図１に示すように、前記第２のテーブル部２３は、シート原反２を切断する前はテーブル駆動機構（図示省略）により前記第１のテーブル部２２に対して直列（一直線状）に並べた状態に支持されている。そして、シート原反２を切断した後に前記テーブル駆動機構（図示省略）により図４に示すように、前記軸部２４を中心にして所定の下り勾配の傾斜角度に傾斜させた状態に支持されるようになっている。
【００２６】
前記第２のテーブル部２３は、所定の傾斜角度に傾斜させた状態において前記第２のテーブル部２３上に載置されている所定の長さに切断された積層型電気二重層キャパシタのセパレータとしてのシート原反２（以下、所定の長さに切断されたシート原反２を単にシート２ａと称する）の下面にエアーを吹き付けて該シート２ａを前記第２のテーブル部２３上から浮き上がらせるエアー吹付機構２５を備えている。
【００２７】
前記エアー吹付機構２５は、エアーポンプ２６からエアーパイプ２７を介して前記第２のテーブル部２３の裏面２３ａに取付けた面状のエアーガイド２８に圧縮されたエアーを送り込んで、前記第２のテーブル部２３の裏面２３ａから表面２３ｂに貫通する多数のエアー孔２３ｃ…２３ｃから前記第２のテーブル部２３上に載置されているシート２ａの下面にエアーを吹き付ける構成になっている。
【００２８】
前記第１のテーブル部２２の下部には、前記所定の傾斜角度に傾斜させた前記第２のテーブル部２３から滑り落ちてきたシート２ａを積み重ねて収容するキャスター付きの容器３１が配置されている。なお、図２に示すように、前記シート位置決め手段５は、前記第２のテーブル部２３に設けられた一対のレール４１，４２と、該レール４１，４２に位置移動可能に組付けられたシート当接部（ストッパー）４３と、を備えていて、前記シート当接部４３を移動させることにより裁断するシートの長さを自由に変えることができるようになっている。図３に示すように、前記一対のレール４１，４２は、第２のテーブル部２３の上面に末広がり状の所謂アリ溝を設けることにより形成されている。一方、前記シート当接部４３の下面には、前記アリ溝状のレール４１，４２に挿入するアリ状の突起４４が設けられている。そして、前記アリ溝状のレール４１，４２にアリ状の突起４４を挿入することにより前記シート当接部４３は、レール４１，４２に移動可能に組み付けられていて、該シート当接部４３の位置決めを終了した後にアジャストネジ４５の締付けを行うことにより前記シート当接部４３を移動不可能に固定するようになっている。なお、図２に示すように、前記アリ溝状のレール４１，４２の一端部には、これらレール４１，４２よりも幅広のアリ状の突起導入溝４６が設けられていて、該溝４６から前記アリ状の突起４４をアリ溝状のレール４１，４２内に挿入するようになっている。また、図２に示すように、前記第１のテーブル部２２の上面には一対の第１，第２のシートガイド５１，５２が設けられている。そして、前記シート送出手段３により送り出されてきたシート原反２をフレキシブルな第１のシートガイド５１で第２のシートガイド５２側に押し付けてシート原反２の幅方向の位置決めを行うようになっている。
【００２９】
次に、前記ロール状シート原反の裁断装置１の作用について説明する。先ず、形成しようとするセパレータの長さに合わせて前記シート当接部４３の位置を決めて固定する。そして、シート送出手段３によってロール状に巻かれているシート原反２を第１のテーブル部２２上に送り出す。第１のテーブル部２２上に送り出されたシート原反２は、前記第１のテーブル部２２上で一直線状に伸び、かつ前記一対のシートガイド５１，５２で幅方向の位置決めをされて前記第２のテーブル部２３側に送られてきて、その先端部が前記シート当接部４３に当接して位置決めされる。
【００３０】
次に、前記シート裁断手段６の駆動機構９で裁断刃支持アーム８を裁断位置に向けて下降させる。裁断刃支持アーム８を下降させると、前記一対のシート押さえ部材１３，１４の先端部１３ａ，１４ａが前記シート原反２に接触して該シート原反２を押さえる。さらに、前記裁断刃支持アーム８を裁断方向に向けて移動させると、前記一対のシート押さえ部材１３，１４は、シート原反２を押さえた侭の状態で逃げ移動して、今度は前記裁断刃７の先端部７ａがシート原反２に接触して、該シート原反２を裁断する。シート原反２を裁断した後に、前記裁断刃７の先端部７ａは、前記硬質ガラス等の刃受部１２に当たる。前記裁断刃７の先端部７ａが硬質ガラス等の刃受部１２に当たり押されると、前記裁断刃７は、前記第１のバネ１１の付勢力に抗して逃げ方向に移動して、裁断刃７の刃先７ａが前記硬質ガラス等の刃受部１２に不必要に強く当たるのを防止して裁断刃７の刃先７ａがダメージを受けるのを防止する。
【００３１】
次に、前記シート裁断手段６の駆動機構９で裁断刃支持アーム８を待機位置に移動させる。そして、前記第２のテーブル部２３を前記軸部２４を中心に回動させさせると、前記シート２ａの一端部は前記第１のテーブル部２２の刃受部１２に引っ掛って、図３の１点鎖線で示すように自重で撓んだ後に、前記第２のテーブル部２３上に再び載置される。そして、前記第２のテーブル部２３を所定の下り勾配の傾斜角度に傾斜させた後に前記エアー吹付機構２５によって、前記シート２ａの下面側にエアーを吹き付ければ、前記シート２ａは、自重で前記第２のテーブル部２３上を滑るように落下して、前記第１のテーブル部２２の下部に配置されているキャスター付きの容器３１内に収納される。該キャスター付きの容器３１内に所定の枚数のシート２ａが収納されたらキャスター付きの容器３１と共にシート２を前記第１のテーブル部２２の下部から取り出す。なお、前記実施例では、シート原反２を裁断した後に前記第２のテーブル部２３を傾斜させると裁断されたシート２ａの一端部が自重で撓んで前記第２のテーブル部２３上に落下するようにしたが、シート２ａが撓み難いものである場合には、前記第２のテーブル部２３を第１のテーブル部２２から離れる方向（矢印Ｃ方向）に水平移動させて、シート２ａを前記刃受部１２に対して非接触状態にしてから、前記第２のテーブル部２３を傾斜させる構成にしてもよい。また、本発明のロール状シート原反の裁断装置は、積層型電気二重層キャパシタのセパレータを裁断する場合に限らず、分極板を裁断する場合などシート状原反を裁断する場合に広く用いられる。
【図面の簡単な説明】
【００３２】
【図１】本発明の側面図（第２のテーブル部を傾斜させる前）。
【図２】本発明のシート支持テーブルの平面図。
【図３】図２のＡ−Ａ断面図。
【図４】本発明の側面図（第２のテーブル部を傾斜させた後）。
【図５】積層型電気二重層キャパシタの断面図。
【図６】従来例の説明図。
【図７】他の従来例の説明図。
【図８】従来例の問題点を示す説明図。
【図９】他の従来例の説明図。
【符号の説明】
【００３３】
１…ロール状シート原反の裁断装置
２…シート原反
３…シート送出手段
４…シート支持テーブル
５…シート位置決め手段
６…シート裁断手段
７…裁断刃
８…裁断刃支持アーム
９…駆動機構
１１…第１のバネ
１２…硬質ガラス等の刃受部
１３，１４…一対のシート押さえ部材
１５…第２のバネ
２１…シート支持テーブルの分割部
２２…第１のテーブル部
２３…第２のテーブル部
２４…軸部
２５…エアー吹付機構
３１…キャスター付きの容器
【図１】
2008073802.tif 000003
【図２】
2008073802.tif 000004
【図３】
2008073802.tif 000005
【図４】
2008073802.tif 000006
【図５】
2008073802.tif 000007
【図６】
2008073802.tif 000008
【図７】
2008073802.tif 000009
【図８】
2008073802.tif 000010
【図９】
2008073802.tif 000011